(57)【特許請求の範囲】
【請求項１】
開口部（９ａ、９ｂ）を有する側板（６）と前記側板（６）の上方を覆う天板（７）とを有する空気調和装置（１）のケーシング（５）において前記開口部（９ａ、９ｂ）を覆うための防護グリルであって、
前記天板（７）に設けられる被固定部（８）に固定される固定部（２１）と、
前記固定部（２１）から鉛直下向きに延び、下部が自由端となっている本体部（２２）と、
を備え、
前記本体部（２２）は、係止部（２８）を有し、
前記係止部（２８）は、前記ケーシング（５）内部または前記ケーシング（５）に設けられる係止対象部材と係止し、前記係止対象部材と係止した状態で、鉛直方向に交差する方向への移動が規制される一方、鉛直方向に移動可能である、
防護グリル（２０）。
【請求項２】
前記固定部（２１）近傍に設けられ、前記固定部（２１）を前記天板（７）の前記被固定部（８）まで導くガイド部（２３）をさらに備える、
請求項１に記載の防護グリル（２０）。
【請求項３】
前記固定部（２１）と前記天板（７）の前記被固定部（８）とは、互いに嵌合する、
請求項１又は２に記載の防護グリル（２０）。
【請求項４】
請求項１から３のいずれかに記載の防護グリル（２０）と、
前記天板（７）の前記被固定部（８）に前記固定部（２１）が固定されるケーシング（５）と、
を備える空気調和装置（１）の室外機（３、２０３、３０３）。
【請求項５】
開口部（９ａ、９ｂ）を有する空気調和装置（１）の室外機（３）において前記開口部（９ａ、９ｂ）を覆うための防護グリルであって、
前記室外機（３）に固定される第１縁部と、
前記防護グリル（２０）の温度変化によって変位する方向へ移動可能に保持される第２縁部と、
前記室外機（３）に設けられる係止対象部材と係止する係止部（２８）と、
を備え、
前記係止部（２８）は、前記係止対象部材と係止した状態で、前記第２縁部の移動可能方向に交差する方向への移動が規制される一方、前記第２縁部の移動可能方向に移動可能である、
防護グリル（２０）。
【請求項６】
開口部（９ａ、９ｂ）と、
前記開口部（９ａ、９ｂ）を覆う請求項５に記載の防護グリル（２０）と、
を備える空気調和装置（１）の室外機（３、３０３）。
【請求項７】
開口部（９ａ、９ｂ）を有する側板（６）と前記側板（６）の上方を覆う天板（７）とを有する空気調和装置（１）の室外機（３）のケーシング（５）であって熱交換器を収納する前記室外機（３）のケーシング（５）において、前記開口部（９ａ、９ｂ）を覆うための防護グリルであって、
前記天板（７）に設けられる被固定部（８）に固定される固定部（２１）と、
前記固定部（２１）から鉛直下向きに延び、下部が自由端となっている本体部（２２）と、
を備え、
前記本体部（２２）は、鉛直方向に延びる前記熱交換器のフィンの間に挿入される係止部（２８）を有し、
前記係止部（２８）は、鉛直方向に移動可能となるように前記熱交換器に係止する、
防護グリル（２０）。
【請求項８】
開口部（９ａ、９ｂ）を有する空気調和装置（１）の室外機（３）において前記開口部（９ａ、９ｂ）を覆うための防護グリルであって、
前記室外機（３）に固定される第１縁部と、
前記防護グリル（２０）の温度変化によって変位する方向へ移動可能に保持される第２縁部と、
前記室外機（３）に設けられる熱交換器と係止する係止部（２８）と、
を備え、
前記係止部（２８）は、前記方向に延びる前記熱交換器のフィンの間に挿入され、前記方向に移動可能となるように前記熱交換器に係止する、
防護グリル（２０）。
【発明の詳細な説明】
【０００１】
【発明の属する技術分野】
本発明は、防護グリルおよび空気調和装置の室外機に関する。
【０００２】
【従来の技術】
従来から、ビルや住宅等において調和された空気を室内に送風することにより、室内の快適性を向上させる空気調和機が知られている。例えば、エアコンは、温風や冷風を室内に送風することにより、室内を快適な温度に保つことができる。
【０００３】
このような空気調和装置においては、内部に備えられる機器の保護や使用者等の安全を保つために、ケーシングに設けられる開口部を覆う防護グリルが備えられている（例えば、特許文献１）。
この空気調和装置は、ケーシングと、防護グリルとを備えている。ケーシングは、熱交換器や圧縮機などの空気調和用の各種機器を囲んでいる。また、ケーシングは、ケーシング外の空気をケーシング内に吸い込むための吸い込み口を有している。防護グリルは、網目状の構造体であり、吸い込み口を覆うように構成されている。このように、この空気調和装置では、防護グリルが吸い込み口を覆うことにより、ケーシング内の機器の保護および使用者などの安全の確保を図っている。
【０００４】
図１に、この防護グリル１００の外観図を示す。この防護グリル１００は、上端部と下端部と側面部とに複数の係止部材１０１を備えている。これらの係止部材１０１は、ケーシングの天板と側板とにそれぞれ係止することにより、防護グリル１００をケーシングに固定している。
【０００５】
【特許文献１】
特開平５−３０６８２３号公報
【０００６】
【発明が解決しようとする課題】
ところで、このような防護グリル１００は、ケーシング内に設けられる熱交換器の近傍に設置されることが多い。この熱交換器は、空気調和装置の稼働中において、周囲の空気を加熱および冷却する。このため、熱交換器の周辺の気温が、熱交換器の稼働により大きく変化することが多い。この場合、熱交換器の近傍に設けられる防護グリル１００の温度も大きく変化する。このような防護グリルの温度変化によって、防護グリル１００が伸縮することがある。つまり、防護グリル１００の鉛直方向の長さが、熱交換器の稼働によって変化することがある。
【０００７】
しかし、防護グリル１００は、上端部と下端部とにおいて係止部材１０１によりケーシングに係止されているため、鉛直方向の長さの変化を吸収することができない場合がある。すなわち、従来の防護グリル１００においては、ケーシングに対する取り付け状態が不安定になるおそれがある。
そこで、本発明では、防護グリルの取り付け状態の安定性を向上させることができる防護グリルおよび空気調和装置の室外機を提供することを目的とする。
【０００８】
【課題を解決するための手段】
請求項１に記載の防護グリルは、開口部を有する側板と側板の上方を覆う天板とを有する空気調和装置のケーシングにおいて開口部を覆うための防護グリルであって、固定部と、本体部とを備える。固定部は、天板に設けられる被固定部に固定されている。本体部は、固定部から鉛直下向きに延び、下部が自由端となっている。本体部は、係止部を有する。係止部は、ケーシング内部またはケーシングに設けられる係止対象部材と係止し、係止対象部材と係止した状態で、鉛直方向に交差する方向への移動が規制される一方、鉛直方向に移動可能である。
【０００９】
この防護グリルでは、固定部において防護グリルと、空気調和装置のケーシングの天板の被固定部とが固定されている。また、本体部が、固定部から鉛直下向きに延びている。つまり、この防護グリルは、上部において空気調和装置のケーシングの天板に固定されており、下部においては空気調和装置のケーシングの天板と固定されていない。したがって、例えば周囲の温度変化などにより防護グリルが上下方向に伸縮する場合であっても、防護グリルの下部において防護グリルの上下方向の伸縮を吸収することができる。このため、防護グリルが空気調和装置のケーシングの天板からはずれたり破損したりする可能性が低減される。その結果、この防護グリルでは、取り付け状態の安定性が向上する。
係止対象部材は、ケーシングの内部やケーシングに設けられる防護グリルの係止対象であって、具体的には、熱交換器、配管、側板に設けられる孔や突起等である。
また、ここでは、本体部に設けられる係止部が、鉛直方向に交差する方向への移動を規制するように係止対象部材と係止する。このため、防護グリルが鉛直方向に交差する方向への外力を受けても、本体部が鉛直方向に交差する方向への屈曲することを抑制することができる。その結果、この防護グリルが鉛直方向に交差する方向への屈曲を抑制することができる。
【００１０】
さらに、ここでは、係止部が、係止対象部材と係止した状態で鉛直方向に移動可能である。このため、例えば周囲の温度変化などにより防護グリルが上下方向に伸縮する場合であっても、係止部は鉛直方向に移動可能である。このため、係止部において防護グリルの伸縮が妨げられ、防護グリルがはずれたり破損したりする可能性が低減される。その結果、この防護グリルでは、取り付け状態の安定性がさらに向上する。
【００１１】
請求項２に記載の防護グリルは、請求項１に記載の防護グリルであって、さらにガイド部を備える。ガイド部は、固定部近傍に設けられる。また、ガイド部は、固定部を天板の被固定部まで導く。
ここでは、固定部が、ガイド部により天板の被固定部まで導かれる。このため、固定部が微小な部材であっても、例えば組立者などは、天板の被固定部と固定部とを容易に固定することができる。
【００１２】
請求項３に記載の防護グリルは、請求項１又は２に記載の防護グリルであって、固定部と天板の被固定部とは、互いに嵌合する。
ここでは、固定部と天板の被固定部とが嵌合することにより、固定部と天板の被固定部とが固定される。このため、例えば組立者などが防護グリルをケーシングに固定する際には、固定部と天板の被固定部とを嵌合させるだけでよい。このため、この防護グリルでは、ケーシングとの組立性を向上させることができる。
【００１３】
請求項４に記載の空気調和機の室外機は、防護グリルとケーシングを備える。防護グリルは、請求項１から３のいずれかに記載の防護グリルである。ケーシングは、天板の被固定部に固定部が固定される。
ここでは、固定部において、防護グリルと、空気調和装置のケーシングの天板の被固定部とが固定されている。また、本体部が、固定部から鉛直下向きに延びている。つまり、この防護グリルは、上部において空気調和装置のケーシングの天板に固定されており、下部においては空気調和装置のケーシングの天板と固定されていない。したがって、例えば周囲の温度変化などにより防護グリルが上下方向に伸縮する場合であっても、防護グリルの下部において防護グリルの上下方向の伸縮を吸収することができる。このため、防護グリルが空気調和装置のケーシングの天板からはずれたり破損したりする可能性が低減される。その結果、この空気調和装置の室外機では、取り付け状態の安定性が向上する。
【００１４】
請求項５に記載の防護グリルは、開口部を有する空気調和装置の室外機において開口部を覆うための防護グリルであって、第１縁部と、第２縁部と、係止部とを備える。第１縁部は、室外機に固定されている。第２縁部は、防護グリルの温度変化によって変位する方向へ移動可能に保持される。係止部は、室外機に設けられる係止対象部材と係止する。また、係止部は、係止対象部材と係止した状態で、第２縁部の移動可能方向に交差する方向への移動が規制される一方、第２縁部の移動可能方向に移動可能である。
【００１５】
請求項６に記載の空気調和装置の室外機は、開口部と、防護グリルとを備えている。防護グリルは、開口部を覆う。また、防護グリルは、請求項５に記載の防護グリルである。
【００１６】
請求項７に記載の防護グリルは、開口部を有する側板とその側板の上方を覆う天板とを有する空気調和装置の室外機のケーシングであって熱交換器を収納する室外機のケーシングにおいて、開口部を覆うための防護グリルであって、固定部と、本体部とを備えている。固定部は、天板に設けられる被固定部に固定される。本体部は、固定部から鉛直下向きに延び、下部が自由端となっている。また、本体部は、鉛直方向に延びる熱交換器のフィンの間に挿入される係止部を有している。その係止部は、鉛直方向に移動可能となるように熱交換器に係止する。
【００１７】
請求項８に記載の防護グリルは、開口部を有する空気調和装置の室外機において開口部（９ａ、９ｂ）を覆うための防護グリルであって、室外機に固定される第１縁部と、防護グリルの温度変化によって変位する方向へ移動可能に保持される第２縁部と、室外機に設けられる熱交換器と係止する係止部とを備えている。そして、係止部は、防護グリルの温度変化によって変位する方向に延びる熱交換器のフィンの間に挿入され、その方向に移動可能となるように熱交換器に係止する。
【００１８】
【発明の実施の形態】
＜空気調和装置の全体構成＞
図２に、本発明の一実施の形態が採用される空気調和機１の全体構成図を示す。
空気調和機１は、冷暖房や除湿などが行われた調和空気を室内に送風し、室内の空気の調和を行う装置である。この空気調和機１は、室内の壁面上部や天井などに取り付けられる複数の室内機２と、室外に設置される室外機３と備えている。室外機３は、図示しない室外熱交換器や室外ファンなどを収納する室外空調ユニットを備えている。
【００１９】
室内機２内には室内熱交換器が収納され、室外機３内には室外熱交換器が収納されており、各熱交換器およびこれらの熱交換器を接続する冷媒配管４が、冷媒回路を構成している。
ここでは、空気調和装置１は、複数の室内機および室外機を備えるマルチ空調機であるが、いわゆるルームエアコンであっても、熱源機器および二次側空調機を備えるセントラル空調機であっても、またその他の種類の空調機であってもよい。
【００２０】
図３に、室外機３の背面図を示す。この室外機３は、室外熱交換器や圧縮機などの空気調和用の各種機器を囲むケーシング５と、網目状の構造体である防護グリル２０とを備えている。ケーシング５は、ケーシング５内に設けられる各種機器の側方を囲う側板６と、側板６の上方を覆う天板７とを有している。側板６は、室外機３の前面に設けられる前面板６ａと、室外機３の背面に設けられる背面板６ｂとを有している（図２参照）。側板６は、ケーシング５外の空気をケーシング５内に出入りさせるための開口部を有している。具体的には、ケーシング５内の空気をケーシング５外に吹き出すための吹き出し口９ａが前面板６ａに設けられている。さらに、ケーシング５外の空気をケーシング５内に吸い込むための吸い込み口９ｂが背面板６ｂに設けられている。
【００２１】
天板７の上面図を図４（ａ）に、天板７の側面図を図４（ｂ）に示す。天板７は、天面部７ａと側面部７ｂ−７ｅとによって構成されている。天面部７ａは、水平面に平行な略四角形の板状部材である。側面部７ｂ−７ｅは、天面部７ａの端を構成する４つの辺からそれぞれ鉛直方向下向きに延びている。４つの側面部７ｂ−７ｅのうち、室外機３の背面側に位置する後側面部７ｅには、防護グリル２０と嵌合するための嵌合孔８が３カ所設けられている。
【００２２】
（防護グリル）
防護グリル２０は、ケーシング５内の各種機器の保護および使用者などの安全の確保を図るために、ケーシング５の背面板６ｂに設けられる吸い込み口９ｂを覆っている（図３参照）。
図５に、ケーシング５の内側から見た防護グリル２０の外観図を示す。図６は、防護グリル２０の図５のＡ部の拡大図である。
【００２３】
この防護グリル２０は、防護グリル２０を天板７に固定するための固定部２１と、主に吸い込み口９ｂを覆う本体部２２と、固定部２１の近傍に設けられるガイド部２３とを有している。
固定部２１は、防護グリル２０の上端部において３カ所に設けられている。この固定部２１は、本体部２２と連結される支持部２４と、支持部２４に設けられる爪部２５とを有している（図７参照）。支持部２４は、本体部２２の上端に連結され、本体部２２の上端から上方に延びている。爪部２５は、支持部２４の側面に設けられ、図７に示すように、上端から下端にかけて幅が広がるように傾斜している。この爪部２５が天板７の嵌合孔８と嵌合することにより、天板７と防護グリル２０とが固定される。
【００２４】
本体部２２は、固定部２１の下端から鉛直下向きに延びており、その下端は自由端となっている（図５参照）。この本体部２２は、吸い込み口９ｂを覆うための網目部２６と、網目部２６を囲むフレーム部２７と、フレーム部２７に設けられる係止部２８とを有している。網目部２６は、吸い込み口９ｂを覆う格子を形成している。フレーム部２７は、網目部２６を囲む枠体である。係止部２８は、ケーシング５の内部に向かう方向に突出する係止突起部２８ａ、２８ｂを有している（図８、図９参照）。係止突起部２８ａは、鉛直方向上方に突起している。係止突起部２８ｂは、鉛直方向下方に突起している。この係止突起部２８ａ、２８ｂが室外熱交換器のフィン間に挿入されることにより、係止部２８と室外熱交換器とは、防護グリル２０が鉛直方向に交差する方向に移動することを規制されるように係止されている。また、係止部２８は、係止突起部２８ａ、２８ｂが室外熱交換器のフィン間に挿入された状態で上下方向に移動可能である。
【００２５】
ガイド部２３は、固定部２１の左右にそれぞれ設けられている（図６参照）。このガイド部２３は、固定部２１の爪部２５に側面視において対向する滑り面Ｓ１を有している（図７参照）。天板７と固定部２１とを固定するために固定部２１の爪部２５を天板７の嵌合孔８に嵌合させる際に、この滑り面Ｓ１上で天板７を滑らせることにより、爪部２５を天板７の嵌合孔８まで導く（図１０参照）。
なお、上記の固定部２１は、防護グリルの上下方向および左右方向の動きを規制しているが、固定部２１は防護グリル２０の上端部のみに設けられており、防護グリル２０は、上端部のみが固定されている。
【００２６】
＜本空気調和機の特徴＞
（１）
この空気調和装置１では、固定部２１において防護グリル２０と天板７とが固定されている。また、本体部２２が、固定部２１から鉛直下向きに延びており、その下端が自由端となっている。つまり、この防護グリル２０は、上端において空気調和装置１のケーシング５の天板７に固定されており、下端においては空気調和装置１のケーシング５の天板７と固定されていない。したがって、例えば周囲の温度変化などにより防護グリル２０が上下方向に伸縮する場合であっても、防護グリル２０の下端において防護グリル２０の上下方向の伸縮を吸収することができる。このため、防護グリル２０が空気調和装置１のケーシング５の天板７からはずれたり破損したりする可能性が低減される。その結果、この空気調和装置１では、防護グリル２０の取り付け状態の安定性が向上する。
【００２７】
（２）
この空気調和装置１では、本体部２２に設けられる係止部２８において、一対の把持部２８ａ、２８ｂが室外熱交換器を鉛直方向から把持している。これにより、係止部２８と室外熱交換器とは、鉛直方向に交差する方向への防護グリル２０の移動を規制するように係止されている。このため、防護グリル２０が鉛直方向に交差する方向への外力を受けても、係止部２８により本体部２２が鉛直方向に交差する方向への屈曲することを抑制することができる。その結果、空気調和装置１では、防護グリル２０が鉛直方向に交差する方向への屈曲することを抑制することができる。
【００２８】
（３）
この空気調和装置１では、係止部２８が、鉛直方向に移動可能に室外熱交換器と係止している。このため、例えば周囲の温度変化などにより防護グリル２０が上下方向に伸縮する場合であっても、係止部２８は鉛直方向に移動可能である。このため、係止部２８において防護グリル２０が室外熱交換器からはずれたり破損したりする可能性が低減される。その結果、この空気調和装置１では、防護グリル２０の取り付け状態の安定性がさらに向上する。
【００２９】
（４）
この空気調和装置１では、天板７が、ガイド部２３の滑り面Ｓ１により固定部２１まで導かれる。このため、例えば組立者などは、天板７と固定部２１とを容易に固定することができる。
（５）
この空気調和装置１では、固定部２１と天板７の嵌合孔８とが嵌合することにより、固定部２１と天板７とが固定されている。このため、例えば組立者などが防護グリル２０をケーシング５に固定する際には、固定部２１と天板７とを嵌合させるだけで、防護グリル２０をケーシング５に係止することができる。その結果、この空気調和装置１では、ケーシング５と防護グリル２０との組立性を向上させることができる。
【００３０】
（６）
この空気調和装置１では、防護グリル２０が固定部２１のみでケーシング５を係止されている。このため、従来の防護グリルと比べて、防護グリル２０を固定するための箇所が少ない。その結果、この空気調和装置１では、防護グリル２０をケーシング５に取り付ける作業が容易となる。
【００３１】
（７）
この空気調和装置１では、防護グリル２０と天板７とが、固定部２１において固定されている。つまり、防護グリル２０は、側板６には固定されていない。このため、この空気調和装置１では、側板６に隣接される各種機器の稼働時における振動を防護グリル２０が受けることが少なくなる。
【００３２】
＜他の実施の形態＞
以上、本発明について説明したが、具体的に構成は、上記の実施の形態に限られるものではなく、発明の要旨を逸脱しない範囲で変更可能である。
（ａ）
上記実施の形態では、防護グリル２０がケーシング５の背面板６ｂに設けられる吸い込み口９ｂを覆っている。これに代えて（加えて）、防護グリル２０が覆う開口部が、ケーシングの前面板に設けられても、側面板に設けられてもよい。さらに、防護グリルが吹き出し口を覆うように空気調和装置を構成してもよい。
【００３３】
（ｂ）
上記実施の形態では、防護グリル２０が室外熱交換器に係止されている。これに代えて（加えて）、防護グリルがケーシング内に配置される各種機器に係止されてもよい。
（ｃ）
上記の実施形態では、防護グリル２０の固定部２１の爪部２５が天板７の後側面部７ｅの嵌合孔８と嵌合することにより、天板７と防護グリル２０とが固定されているが、固定部２１と後側面部７ｅとにそれぞれビス穴が設けられ、合わせられたこれらのビス穴にビスが通されることにより、天板７と防護グリル２０とが固定されてもよい。
【００３４】
（ｄ）
上記の実施形態では、室外熱交換器のフィン間に挿入される係止突起部２８ａ、２８ｂが設けられているが、係止突起部２８ａ、２８ｂに代えて、室外熱交換器以外の部材に係止する係止部が設けられてもよい。例えば、背面板６ｂ等に係止する係止部が設けられてもよい。
【００３５】
（ｅ）
上記実施の形態では、天板７と防護グリル２０とが鉛直方向に嵌合することにより、室外機３と防護グリル２０とが固定されている。しかし、空気調和装置の構造は、室外機と防護グリルとが固定される構造であれば、いかなる構造であってもよい。
【００３６】
例えば、図１１に示すような、室外機の天板２０７と防護グリル２２０との固定構造でもよい。この防護グリル２２０は、室外機の天板２０７に固定するための固定部２２１と、本体部２２２とを有している。また、室外機の天板２０７は、嵌合孔２０８を有している。この固定部２２１は、防護グリル２２０の上端部に設けられ、支持部２２４と、支持部２２４に設けられる爪部２２５とを有している。支持部２２４は、本体部２２２の上端部に連結され、本体部２２２から室外機の天板２０７に向かう方向に延びている。爪部２２５は、支持部２２４の下面に設けられ、下方に向かって突出している。嵌合孔２０８は、天板２０７の上面に設けられている。防護グリル２２０の他の構成は、上記実施の形態に示される防護グリル２０と同様である。この防護グリル２２０爪部２２５が天板２０７の嵌合孔２０８と嵌合することにより、天板２０７と防護グリル２２０とが固定される。
【００３７】
また、図１２に示すように、防護グリル３２０の側面に固定部３２１が設けられてもよい。この場合、図１３に示すように、防護グリル３２０は、室外機３０３の側板３０６ｂに固定するための固定部３２１と、本体部３２２とを有している。また、室外機の側板３０６ｂは、嵌合孔３０８を有している。固定部３２１は、支持部３２４と、支持部３２４に設けられるカギ部３２５とを有している。支持部３２４は、本体部３２２の側面に設けられ、本体部３２２の側面から室外機の側板３０６ｂに向かう方向に延びている。カギ部３２５は、支持部３２４の側面に設けられ、下方向きのＬ字状の突起を形成している（図１３（ａ））。防護グリル３２０の他の構成は、上記実施の形態に示される防護グリル２０と同様である。この防護グリル３２０では、カギ部３２５が側板３０６ｂの開口部３０８と嵌合することにより、室外機３０３の側板３０６ｂと防護グリル３２０とが固定される（図１３（ｂ）参照）。
【００３８】
【発明の効果】
本発明では、固定部において防護グリルと、空気調和装置のケーシングの天板の被固定部とが固定されている。また、本体部が、固定部から鉛直下向きに延びている。つまり、この防護グリルは、上部において空気調和装置のケーシングの天板に固定されており、下部においては空気調和装置のケーシングの天板と固定されていない。したがって、例えば周囲の温度変化などにより防護グリルが上下方向に伸縮する場合であっても、防護グリルの下端において防護グリルの上下方向の伸縮を吸収することができる。このため、防護グリルが空気調和装置のケーシングの天板からはずれたり破損したりする可能性が低減される。その結果、この防護グリルでは、取り付け状態の安定性が向上する。
【００３９】
また、本体部に設けられる係止部が、鉛直方向に交差する方向への移動を規制するように係止対象部材と係止する。このため、防護グリルが鉛直方向に交差する方向への外力を受けても、本体部が鉛直方向に交差する方向への屈曲することを抑制することができる。その結果、この防護グリルが鉛直方向に交差する方向への屈曲を抑制することができる。
【００４０】
さらに、係止部が、係止対象部材と係止した状態で鉛直方向に移動可能である。このため、例えば周囲の温度変化などにより防護グリルが上下方向に伸縮する場合であっても、係止部は鉛直方向に移動可能である。このため、係止部において防護グリルの伸縮が妨げられ、防護グリルがはずれたり破損したりする可能性が低減される。その結果、この防護グリルでは、取り付け状態の安定性がさらに向上する。
【図面の簡単な説明】
【図１】  従来の防護グリルの外観図。
【図２】  本発明の一実施の形態が採用される空気調和装置の全体構成図。
【図３】  室外機の背面図。
【図４】  （ａ）天板の上面図。
（ｂ）天板の側面図。
【図５】  防護グリルの外観図。
【図６】  防護グリルのＡ部拡大図。
【図７】  防護グリルのＣ−Ｃ断面図。
【図８】  防護グリルのＢ部拡大図。
【図９】  （ａ）防護グリルのＤ−Ｄ断面図。
（ｂ）防護グリルのＥ−Ｅ断面図。
【図１０】  防護グリルと天板とを固定する際の各部の動きを示す動作図。
【図１１】  本発明の他の実施の形態に係る防護グリルと天板とを固定する際の各部の動きを示す動作図。
【図１２】  本発明の他の実施の形態に係る室外機の背面図。
【図１３】  （ａ）本発明の他の実施の形態に係る防護グリルの一部の正面図および側面図。
（ｂ）本発明の他の実施の形態に係る防護グリルと室外機とを固定する際の各部の動きを示す動作図。
【符号の説明】
１                      空気調和装置
３、３０３              室外機
６                      側板
７                      天板
８                      嵌合孔（被固定部）
９ａ                    吹き出し口（開口部）
９ｂ                    吸い込み口（開口部）
２０                    防護グリル
２１                    固定部
２２                    本体部
２３                    ガイド部
２８                    係止部
【図１】
0003709874.tif 000002
【図２】
0003709874.tif 000003
【図３】
0003709874.tif 000004
【図４】
0003709874.tif 000005
【図５】
0003709874.tif 000006
【図６】
0003709874.tif 000007
【図７】
0003709874.tif 000008
【図８】
0003709874.tif 000009
【図９】
0003709874.tif 000010
【図１０】
0003709874.tif 000011
【図１１】
0003709874.tif 000012
【図１２】
0003709874.tif 000013
【図１３】
0003709874.tif 000014